(57)【特許請求の範囲】
【請求項１】
二つの筐体と、
前記筐体内にそれぞれ配置されるマイクロホンユニットと、
前記二つの筐体の対向する面にそれぞれ設けられる前記二つの筐体を結合または分離させる結合手段とを備え、
前記結合手段は、一対の弾性体から構成され、
前記二つの筐体が分離されたとき、
前記弾性体の先端面をそれぞれの筐体の載置面とすることを特徴とするマイクロホン。
【請求項２】
前記筐体にフックを設けることを特徴とする請求項１に記載のマイクロホン。
【請求項３】
前記フックを前記二つの筐体にそれぞれ設けることを特徴とする請求項２に記載のマイクロホン。
【請求項４】
前記弾性体は、ゴムまたは弾性を有する樹脂で構成されることを特徴とする請求項１に記載のマイクロホン。
【請求項５】
前記弾性体は、
略楕円状の平面形状を有して前記二つの筐体の結合面から突設される嵌合部を有し、
一方の前記嵌合部の内周面と、他方の前記嵌合部の外周面とが係合することを特徴とする請求項１に記載のマイクロホン。
【請求項６】
前記嵌合部には、
当該嵌合部の周方向に沿った係合凹部または係合突部が形成されることを特徴とする請求項５に記載のマイクロホン。
【請求項７】
前記嵌合部は、
互いに対向した状態で押圧されることにより弾性変形して嵌り合い、
互いを引き離す方向に引かれることにより弾性変形して離間することを特徴とする請求項５に記載のマイクロホン。
【発明の詳細な説明】
【０００１】
【発明の属する技術分野】
この発明は、音源の音を入力するマイクロホンに関する。
【０００２】
【従来の技術】
音源の音を入力するマイクロホンとしては、ワンポイントステレオマイクロホン（以下、単に「ワンポイントマイク」という）がある。このワンポイントマイクは、一つの筐体内に左右一対のマイクロホンユニット（以下、単に「ユニット」という）がそれぞれ配置されている。そして、一つの筐体内に配置されている右側のユニットと左側のユニットとによって音源の音が入力される。
【０００３】
【発明が解決しようとする課題】
ところで、従来のワンポイントマイクにおいて、二つの音源が離れている場合や，二つの音源の方向がワンポイントマイクの一対のユニットに対応していない場合には、最適な（感度の良い）状態で二つの音源の音を同時に入力することができないという問題点があった。
【０００４】
また、例えば無指向性マイクロホンは、どの方向の音をもとらえるので、会議等に用いられる。しかし、このマイクロホンは、指向性がないという点より感度の良い状態で音を入力できないという問題点があった。そのため、上述したワンポイントマイク等では、一方向のみの音をとらえる単一指向性の性能を備えている。従って、マイクロホンにとって、音源の方向は音をとらえるという点において重要な要素である。
【０００５】
そこで、本発明は上記事実を考慮し、音源の音を感度の良い状態で入力するマイクロホンを提供することにある。
【０００６】
【課題を解決するための手段】
本発明の請求項１に係るマイクロホンは、二つの筐体と、筐体内にそれぞれ配置されるマイクロホンユニットと、二つの筐体の対向する面にそれぞれ設けられる二つの筐体を結合または分離させる結合手段とを備え、結合手段は、一対の弾性体から構成され、二つの筐体が分離されたとき、弾性体の先端面をそれぞれの筐体の載置面とすることを特徴としている。
【０００７】
本発明の請求項１に係るマイクロホンによれば、二つのマイクロホンの筐体を結合手段によって結合または分離できる。そのため、筐体を結合した状態とする場合には１個のマイクロホンとして使用でき、筐体を分離した状態とする場合にはそれぞれの筐体を音源の近くに置くことできる。
【０００８】
即ち、本発明の請求項１に係るマイクロホンによれば、二つの筐体を結合手段によって結合または分離して使用できるので、マイクロホンをある場面に応じた組合せで使用でき、音源の音を感度の良い状態で入力できる。
【０００９】
本発明の請求項２に係るマイクロホンは、請求項１に記載の発明において、筐体にフックを設けることを特徴としている。
【００１０】
本発明の請求項３に係るマイクロホンは、請求項２に記載の発明において、フックを二つの筐体にそれぞれ設けることを特徴としている。
【００１１】
本発明の請求項４に係るマイクロホンは、請求項１に記載の発明において、弾性体は、ゴムまたは弾性を有する樹脂で構成されることを特徴としている。
【００１２】
本発明の請求項５に係るマイクロホンは、請求項１に記載の発明において、弾性体は、略楕円状の平面形状を有して二つの筐体の結合面から突設される嵌合部を有し、一方の嵌合部の内周面と、他方の嵌合部の外周面とが係合することを特徴としている。
【００１３】
本発明の請求項６に係るマイクロホンは、請求項５に記載の発明において、嵌合部には、当該嵌合部の周方向に沿った係合凹部または係合突部が形成されることを特徴としている。
【００１４】
本発明の請求項７に係るマイクロホンは、請求項５に記載の発明において、嵌合部は、互いに対向した状態で押圧されることにより弾性変形して嵌り合い、互いを引き離す方向に引かれることにより弾性変形して離間することを特徴としている。
【００１５】
【発明の実施の形態】
本発明に係るマイクロホンの一実施形態を図１〜図９に従って説明する。なお、本実施形態のマイクロホンは、ステレオ型でかつ単一指向性のものである。また、図１はマイクロホンがカセットレコーダに接続されている状態を示す斜視図、図２は図１に示すマイクロホン本体の結合状態の側面図、図３は図２に示す結合状態の一部を破断した断面図である。
【００１６】
（マイクロホンの全体構成）
図１に示すように、マイクロホン１０は、左右一対のマイク筐体１４，１６を一組とするマイクロホン本体１２と，これらのマイク筐体１４，１６からそれぞれ導出される一対のコード２０と，これらのコード２０の先端に配置される１個のプラグ２２を備えている。なお、プラグ２２は録音機器としてのカセットレコーダ３０の図示しないジャックに接続され、マイクロホン１０で入力される音（信号）がカセットレコーダ３０に録音される。
【００１７】
一対のコード２０は図示しない連結具（例えば８字状のリング等）で連結され、コード２０同志がバラバラにならないようになっている。また、連結具はコード２０の長さ方向に沿ってスライド可能となっており、コード２０に対する連結部分を任意に調整できるようになっている。
【００１８】
（マイクロホン本体１２の具体的な構成）
上述したように、マイクロホン本体１２は、右側のマイク筐体１４と左側のマイク筐体１６とで一組になっていると共に、マイク筐体１４及び１６は左右対称になるように構成されている。図５及び図８に示すように、マイク筐体１４，１６には、その内部に円筒状のマイクロホンユニット（以下、単に「ユニット」という）２４がそれぞれ配置されており、またユニット２４を保護するための網目状の保護カバー２６が取付けられている。
【００１９】
なお、本実施形態のユニット２４は、コンデンサ型のものである。また、ユニット２４の取付角度θＡは、ユニット２４の軸心（マイク指向軸と同義）Ｌ１がマイク筐体１４，１６の背面（保護カバー２６の反対側の面）に沿った直線Ｌ２に対し略６０度となっている。そして、マイクロホン１０の単一指向性は、マイク筐体１４及び１６におけるユニット２４のマイク指向軸Ｌ１に対応する。
【００２０】
図３に示すように、マイク筐体１４，１６の背面１４Ａ，１６Ａには、結合手段としての弾性体のゴム１８，１９がそれぞれ配設されており、これらのゴム１８及び１９はマイク筐体１４及び１６を結合（合体）または分離させるものである。また、図６及び図９に示すように、ゴム１８及び１９の平面形状は略楕円状となっている。
【００２１】
そして、図５及び図８に示すように、マイク筐体１４，１６の背面１４Ａ，１６Ａには、ゴム１８，１９を位置決めするための凹部１４Ｂ，１６Ｂが形成されている。凹部１４Ｂ，１６Ｂは、ゴム１８，１９の平面形状に対応するように形成されている。
【００２２】
ゴム１８，１９をマイク筐体１４，１６に取付ける手順について簡単に説明する。まず、ゴム１８及び１９を凹部１４Ｂ及び１６Ｂ内に挿入すると共に押え板２８をゴム１８，１９に当接させる。そして、この状態で一対のビス２９（図６及び図９参照）を締結することにより押え板２８をマイク筐体１４及び１６に固定する。従って、ゴム１８，１９は、押え板２８によって固定され、マイク筐体１４，１６に取付けられる。なお、本実施形態では弾性体をゴムとした例であるが、本発明の弾性体としては弾性を有する樹脂であれば、ゴム以外のものであっても同様に適用される。
【００２３】
図５及び図６に示すように、左側のマイク筐体１４のゴム１８には、その外周端から直角方向（即ち、凹部１４Ｂから突出する方向）に向かう嵌合部１８Ａが突設されている。また、嵌合部１８Ａの内周面側には溝状の係合凹部１８Ｂが形成されており（図５参照）、この係合凹部１８Ｂは嵌合部１８Ａの内周面略中央でかつ嵌合部１８Ａの周方向に沿って線状に形成されている。
【００２４】
図８及び図９に示すように、右側のマイク筐体１６のゴム１９には、その外周端から直角方向に向かう嵌合部１９Ａが突設されている。この嵌合部１９Ａは、ゴム１８の嵌合部１８Ａに略対応するが、その外形が嵌合部１８Ａよりも若干だけ小さくなっている。即ち、嵌合部１８Ａ及び１９Ａ同志が嵌まり合うように形成されている。
【００２５】
従って、嵌合部１９Ａの外周面側には係合突部１９Ｂが突設されており（図８参照）、この係合突部１９Ｂは嵌合部１９Ａの外周面略中央でかつ嵌合部１８Ａの周方向に沿って線状に形成されている。そして、図３に示すように、この係合突部１９Ｂが嵌合部１８Ａの係合凹部１８Ｂに嵌まることにより、マイク筐体１４及び１６が結合される。
【００２６】
即ち、図１２に示すように分離した状態のマイク筐体１４とマイク筐体１６とを結合させるには、嵌合部１８Ａ及び１９Ａ同志をお互いに押圧することにより弾性変形させ、係合突部１９Ｂを係合凹部１８Ｂに嵌める。この際に、図３に示すように、ゴム１８及び１９の復元力により係合突部１９Ｂ及び係合凹部１８Ｂが密着する状態で保持される。そのため、マイク筐体１４及びマイク筐体１６が結合状態で維持される。
【００２７】
一方、マイク筐体１４及びマイク筐体１６同志を分離するには、上記と逆に嵌合部１８Ａ及び１９Ａ同志を引き離す方向に引っ張って弾性変形させ、係合突部１９Ｂを係合凹部１８Ｂから離間させる。これにより、マイク筐体１４及びマイク筐体１６が離間する。
【００２８】
なお、ゴム１８及び１９（嵌合部１８Ａ，１９Ａを含む）の形状はゴム１８及び１９同志を嵌合または分離できるように形成されていれば、ゴム１８及び１９の形状は本実施形態のものに限定されない。
【００２９】
図５及び図８に示すように、嵌合部１８Ａ，１９Ａの先端部は凹部１４Ｂ，１６Ｂから突出しており、これらの嵌合部１８Ａ，１９Ａの先端面１８Ｃ，１９Ｃは直線Ｌ２に沿う載置面となる。即ち、ゴム１８及び１９は、マイク筐体１４及び１６を結合される結合手段であると共に、図１３に示すようなテーブル３２の被載置面となるテーブル面３２Ａにマイク筐体１４，１６を載置させるスタンドとしても機能するものである。
【００３０】
本実施形態においては、ゴム１８及び１９の先端面１８Ｃ，１９Ｃがテーブル面３２Ａに当接する載置面となりかつゴム１８及び１９がマイク筐体１４及び１６を支持するので、テーブル３２が振動する場合でもこの振動をゴム１８または１９が吸収する。従って、本実施形態によれば、マイク筐体１４及び１６とテーブル３２とが干渉する音の発生が防止されるので、最適な状態で音を入力できると共にテーブル面３２Ａが傷つくのが防止される。
【００３１】
マイク筐体１４及び１６には、その一側面にフック１５及び１７がそれぞれ配置されている。図１及び図２に示すように、フック１５及び１７は、結合した状態のマイク筐体１４及び１６同志において重なるように配置されており、かつマイク筐体１４及び１６の保護カバー２６側からコード２０の導出側に向かって略Ｌ字状となっている（図６及び図９参照）。
【００３２】
フック１５，１７の先端内周側には、半円状の突部１５Ａ，１７Ａが突設されている。そして、フック１５及び１７を図１０に示す衣服のポケット布４０に挟むと、突部１５Ａ，１７Ａとマイク筐体１４，１６とでポケット布４０が挟持されマイク筐体１４または１６がクリップされる。なお、本発明のフックとしては、マイク筐体１４，１６のどちらか一方のみに配置させても良い。
【００３３】
次に、本実施形態の作用について説明する。まず、図１に示すマイクロホン１０をワンポイントステレオマイクロホン（以下、単に「ワンポイントマイク」という）として使用する場合について説明する。図１０に示すように、左右一対のマイク筐体１４及び１６を合体させた状態で、フック１５を衣服のポケット布４０にクリップする。このクリップした状態で、音声がマイクロホン１０を介し図１に示すカセットレコーダ３０にステレオ録音される。なお、図１０では、カセットレコーダ３０が衣服の内ポケットに挿入されている。
【００３４】
また、図１１に示すように、マイク筐体１４と１６とを分離させた状態で、フック１５，１７（図１参照）を二人の衣服のポケット布４０にそれぞれクリップして使用する。この場合には、２個のマイクロホンで二人の声をステレオ録音できる。本実施形態においては、二つの音源を同時に入力することができるので、臨場感を持った状況がカセットレコーダ３０に録音できる。
【００３５】
従って、本実施形態によれば、フック１５を使用することにより、一人用または二人用にと選択して使用できるので、一人或いは二人の声を感度良く録音でき、使い勝手が良くなる。
【００３６】
さらに、図１に示すように、合体させた状態のマイク筐体１４及び１６を図１３に示すテーブル３２のテーブル面３２Ａに置き、この状態でステレオ録音しても良い。即ち、図１２に示すように、分離させた状態のマイク筐体１４及び１６をそのゴム１８及び１９の先端面１８Ｃ及び１９Ｃ（図５及び図８参照）がテーブル面３２Ａに対向するように載置させ、マイク筐体１４，１６を任意の方向に向けた状態でステレオ録音しても良い。
【００３７】
また、分離させた状態のマイク筐体１４及び１６においては、図１３に示すように、司会者が一方のマイク筐体１６を把持した状態でナレーションを行い、他方のマイク筐体１４をテーブル面３２Ａに載置させ会議全体の状況を録音することもできる。
【００３８】
本実施形態においては、臨場感のある会議全体の状況をカセットレコーダ３０に録音でき、使い勝手が良くなる。従って、本実施形態によれば、左右一対のマイク筐体１４及び１６を結合手段（ゴム１８及び１９）によって結合または分離して使用できるので、マイクロホン１０をある場面に応じた組合せで使用でき、二つの音源の音声を感度の良い状態で入力できる。
【００３９】
さらに、本実施形態では、マイクロホン１０の持ち運び時には一対のマイク筐体１４及び１６を結合させた状態で行うことができるので、持ち運び時にマイク筐体１４，１６が分離することがなく、持ち運びが便利となり使い勝手が良くなる。
【００４０】
なお、上記実施形態ではマイクロホン１０が単一指向性のものの例であるが、本発明のマイクロホンは無指向性のものであっても良い。また、上記実施形態のマイクロホン１０はステレオ録音用のものであるが、本発明はモノラル録音用のものとしても良い。
【００４１】
【発明の効果】
以上説明したように本発明によれば、二つの筐体を結合手段によって結合または分離して使用できるとともに、分離時に結合手段をスタンドとして使用できる。従って、マイクロホンをある場面に応じた組合せで使用できる。また、干渉による音の発生を防止できるので、音源の音を感度の良い状態で入力できる。
【図面の簡単な説明】
【図１】本発明の一実施形態に係るマイクロホンがカセットレコーダに接続されている状態を示す斜視図である。
【図２】図１に示すマイクロホン本体の結合状態の側面図である。
【図３】図２に示す結合状態の一部を破断した断面図である。
【図４】図２に示す左側のマイク筐体の側面図である。
【図５】図４に示すマイクロホンの断面図である。
【図６】図４に示すマイクロホンの背面図である。
【図７】図２に示す右側のマイク筐体の側面図である。
【図８】図７に示すマイクロホンの断面図である。
【図９】図７に示すマイクロホンの背面図である。
【図１０】図１に示すマイクロホンを衣服にクリップした状態の正面図である。
【図１１】図１０に示すマイクロホンを分離し二人の衣服にそれぞれクリップした状態の正面図である。
【図１２】図１に示すマイクロホンを分離して使用する状態の斜視図である。
【図１３】図１２に示す分離した状態のマイクロホンを会議に使用する状態の斜視図である。
【符号の説明】
１０            マイクロホン
１４，１６      マイク筐体
１５，１７      フック
１８，１９      ゴム（嵌合手段または弾性体）
１８Ｃ，１９Ｃ  ゴムの先端面（載置面）
２４            マイクロホンユニット
３２Ａ          テーブル面
【図１】
0003994548.tif 000002
【図２】
0003994548.tif 000003
【図３】
0003994548.tif 000004
【図４】
0003994548.tif 000005
【図５】
0003994548.tif 000006
【図６】
0003994548.tif 000007
【図７】
0003994548.tif 000008
【図８】
0003994548.tif 000009
【図９】
0003994548.tif 000010
【図１０】
0003994548.tif 000011
【図１１】
0003994548.tif 000012
【図１２】
0003994548.tif 000013
【図１３】
0003994548.tif 000014